【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
フレームの第１のサブフレーム中の物理ブロードキャストチャネル（ＰＢＣＨ）を識別すること、ここにおいて、前記フレームは、時分割複信（ＴＤＤ）フレームタイプまたは周波数分割複信（ＦＤＤ）フレームタイプのうちのいずれかである、と、
前記フレームタイプおよび前記第１のサブフレームのセル固有基準信号（ＣＲＳ）パターンを識別することと、
前記フレームタイプに基づいて前記第１のサブフレームの第１のスロットまたは第２のスロットのシンボル期間に前記ＰＢＣＨの一部分の第１の繰り返しをマッピングすること、前記第１のサブフレームの前記第１のスロットまたは前記第２のスロットの前記シンボル期間は、ＣＲＳを備える、と、
前記第１のサブフレームを送信することと
を備える、方法。
【請求項２】
前記第１のサブフレーム中の前記ＰＢＣＨを識別することは、
前記ＰＢＣＨの部分と前記ＣＲＳとを備えるシンボルの第１のセットを識別することと、
前記ＣＲＳなしに前記ＰＢＣＨの一部分を備えるシンボルの第２のセットを識別することと
を備える、請求項１に記載の方法。
【請求項３】
前記ＰＢＣＨの前記一部分の前記第１の繰り返しをマッピングすることは、
ＰＢＣＨの繰り返しのために利用可能である前記第１のサブフレームの第１のシンボル期間を識別すること、前記第１のシンボル期間は、前記ＣＲＳを備える、と、
前記第１のシンボル期間中にシンボルの前記第１のセットのうちの少なくとも１つのシンボルを繰り返すことと
を備える、請求項２に記載の方法。
【請求項４】
ＰＢＣＨの繰り返しのために利用可能である第２のシンボル期間を識別すること、前記第２のシンボル期間は、前記ＣＲＳを除外する、と、
前記第２のシンボル期間中にシンボルの前記第２のセットのうちの少なくとも１つのシンボルを繰り返すことと
をさらに備える、請求項３に記載の方法。
【請求項５】
前記フレームの第２のサブフレームのＣＲＳパターンを識別することと、
前記フレームの前記第２のサブフレームに前記ＰＢＣＨの各部分をマッピングすることと、
前記第２のサブフレームのシンボル期間に前記ＰＢＣＨの前記一部分の第２の繰り返しをマッピングすること、前記第２のサブフレームの前記シンボル期間は、前記ＣＲＳを備える、と、
前記第２のサブフレームを送信することと
をさらに備える、請求項１に記載の方法。
【請求項６】
前記第１のサブフレームと前記第２のサブフレームとの前記ＣＲＳパターンはそれぞれ、同じＣＲＳパターンを備え、前記ＰＢＣＨの前記一部分は、前記第１のサブフレームと前記第２のサブフレームとの中のシンボル期間の対応するセットにマッピングされる、
請求項５に記載の方法。
【請求項７】
前記ＣＲＳなしに前記第２のサブフレームのシンボル期間に前記ＰＢＣＨの第２の部分の第３の繰り返しをマッピングすることをさらに備え、サブキャリアのサブセットは、前記第２のサブフレームの前記シンボル期間中に前記ＰＢＣＨを除外する、
請求項６に記載の方法。
【請求項８】
前記第１のサブフレームと前記第２のサブフレームとはそれぞれ、同じＣＲＳパターンを備え、前記ＰＢＣＨの各部分は、前記第１のサブフレームと前記第２のサブフレームとにわたって等しい回数繰り返される、
請求項５に記載の方法。
【請求項９】
前記第１のサブフレームと前記第２のサブフレームとの前記ＣＲＳパターンはそれぞれ、同じＣＲＳパターンを備え、前記ＰＢＣＨは、前記第１のサブフレームと前記第２のサブフレームとの各々の中のシンボル期間の異なるセットにマッピングされる、
請求項５に記載の方法。
【請求項１０】
前記ＣＲＳなしに前記第２のサブフレームのシンボル期間に前記ＰＢＣＨの一部分を備える第３の繰り返しをマッピングすることをさらに備え、サブキャリアのサブセットは、前記第２のサブフレームの前記シンボル期間中に前記ＰＢＣＨを除外する、または
サブキャリアインデックス、スロットインデックス、セル識別情報、またはシンボルインデックスに少なくとも部分的に基づく位相だけ前記ＰＢＣＨの各繰り返し部分を回転させることをさらに備える、
請求項９に記載の方法。
【請求項１１】
ワイヤレス通信の方法であって、
サブフレーム中のＰＢＣＨを受信すること、ここにおいて、前記サブフレームは、フレーム内に含まれ、前記フレームは、時分割複信（ＴＤＤ）フレームタイプまたは周波数分割複信（ＦＤＤ）フレームタイプのうちのいずれかであり、前記サブフレームは、セル固有基準信号（ＣＲＳ）パターンを有するＣＲＳを備えるサブフレームのシンボル期間を備え、前記ＰＢＣＨの一部分の繰り返しは、前記フレームタイプに基づいて前記サブフレームの第１のスロットまたは第２のスロット中にある、と、
前記ＰＢＣＨを復号することと
を備える、方法。
【請求項１２】
前記ＰＢＣＨを復号することは、
前記ＰＢＣＨをブラインド検出することを備える、
請求項１１に記載の方法。
【請求項１３】
前記ＰＢＣＨをブラインド検出することは、
前記ＰＢＣＨの前記一部分の繰り返しパターンを決定することと、
前記ＰＢＣＨの前記一部分の前記繰り返しパターンに少なくとも部分的に基づいて前記サブフレーム中の前記ＰＢＣＨをモニタすることと
を備える、請求項１２に記載の方法。
【請求項１４】
前記繰り返しパターンに少なくとも部分的に基づいて前記サブフレーム中の前記ＰＢＣＨをモニタすることは、
前記繰り返しパターンに少なくとも部分的に基づいて前記ＰＢＣＨのための前記サブフレーム中の候補ロケーションのセットを識別することを備える、
請求項１３に記載の方法。
【請求項１５】
セル識別情報、サブキャリアインデックス、スロットインデックス、またはシンボルインデックスに少なくとも部分的に基づく位相だけ前記ＰＢＣＨの前記一部分の前記繰り返しを備えるシンボルを逆回転させること
をさらに備える、請求項１１に記載の方法。
【請求項１６】
前記サブフレーム中の前記ＰＢＣＨを受信することは、前記サブフレーム中の前記ＰＢＣＨの前記一部分の前記繰り返しを受信することを備える、
請求項１１に記載の方法。
【請求項１７】
前記ＰＢＣＨの前記一部分の前記繰り返しを少なくとも使用して周波数を推定すること、または
前記ＰＢＣＨのために利用可能なシンボル中の信号を識別することと、
前記識別された信号に少なくとも部分的に基づいて前記ＰＢＣＨのために利用可能な前記シンボルが前記ＰＢＣＨの前記一部分の前記繰り返しを備えると決定することと
をさらに備える、
請求項１６に記載の方法。
【請求項１８】
前記周波数の推定は、前記ＣＲＳに少なくとも部分的に基づく、
請求項１７に記載の方法。
【請求項１９】
請求項１乃至１８のいずれか１項に記載の前記ステップを実行するように配置される手段を備えるワイヤレス通信のための装置。
【請求項２０】
ワイヤレス通信のためのコードを記憶する非一時的コンピュータ可読媒体であって、前記コードは、請求項１乃至１８のいずれか１項に記載の前記ステップを実行するように配置された命令を備える、非一時的コンピュータ可読媒体。
【手続補正２】
【補正対象書類名】明細書
【補正対象項目名】０１６１
【補正方法】変更
【補正の内容】
【０１６１】
[0164]本明細書の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
ワイヤレス通信の方法であって、
フレームの第１のサブフレーム中の物理ブロードキャストチャネル（ＰＢＣＨ）を識別することと、
前記第１のサブフレームのセル固有基準信号（ＣＲＳ）パターンを識別することと、
前記第１のサブフレームのシンボル期間に前記ＰＢＣＨの一部分の第１の繰り返しをマッピングすること、前記第１のサブフレームの前記シンボル期間は、ＣＲＳを備える、と、
前記第１のサブフレームを送信することと
を備える、方法。
［Ｃ２］
前記第１のサブフレーム中の前記ＰＢＣＨを識別することは、
前記ＰＢＣＨの部分と前記ＣＲＳとを備えるシンボルの第１のセットを識別することと、
前記ＣＲＳなしに前記ＰＢＣＨの一部分を備えるシンボルの第２のセットを識別することと
を備える、［Ｃ１］に記載の方法。
［Ｃ３］
前記ＰＢＣＨの前記一部分の前記第１の繰り返しをマッピングすることは、
ＰＢＣＨの繰り返しのために利用可能である前記第１のサブフレームの第１のシンボル期間を識別すること、前記第１のシンボル期間は、前記ＣＲＳを備える、と、
前記第１のシンボル期間中にシンボルの前記第１のセットのうちの少なくとも１つのシンボルを繰り返すことと
を備える、［Ｃ２］に記載の方法。
［Ｃ４］
ＰＢＣＨの繰り返しのために利用可能である第２のシンボル期間を識別すること、前記第２のシンボル期間は、前記ＣＲＳを除外する、と、
前記第２のシンボル期間中にシンボルの前記第２のセットのうちの少なくとも１つのシンボルを繰り返すことと
をさらに備える、［Ｃ３］に記載の方法。
［Ｃ５］
前記フレームの第２のサブフレームのＣＲＳパターンを識別することと、
前記フレームの前記第２のサブフレームに前記ＰＢＣＨの各部分をマッピングすることと、
前記第２のサブフレームのシンボル期間に前記ＰＢＣＨの前記一部分の第２の繰り返しをマッピングすること、前記第２のサブフレームの前記シンボル期間は、前記ＣＲＳを備える、と、
前記第２のサブフレームを送信することと
をさらに備える、［Ｃ１］に記載の方法。
［Ｃ６］
前記第１のサブフレームと前記第２のサブフレームとの前記ＣＲＳパターンはそれぞれ、同じＣＲＳパターンを備え、前記ＰＢＣＨの前記一部分は、前記第１のサブフレームと前記第２のサブフレームとの中のシンボル期間の対応するセットにマッピングされる、
［Ｃ５］に記載の方法。
［Ｃ７］
前記ＣＲＳなしに前記第２のサブフレームのシンボル期間に前記ＰＢＣＨの第２の部分の第３の繰り返しをマッピングすることをさらに備え、サブキャリアのサブセットは、前記第２のサブフレームの前記シンボル期間中に前記ＰＢＣＨを除外する、
［Ｃ６］に記載の方法。
［Ｃ８］
前記第１のサブフレームと前記第２のサブフレームとはそれぞれ、同じＣＲＳパターンを備え、前記ＰＢＣＨの各部分は、前記第１のサブフレームと前記第２のサブフレームとにわたって等しい回数繰り返される、
［Ｃ５］に記載の方法。
［Ｃ９］
前記第１のサブフレームと前記第２のサブフレームとの前記ＣＲＳパターンはそれぞれ、同じＣＲＳパターンを備え、前記ＰＢＣＨは、前記第１のサブフレームと前記第２のサブフレームとの各々の中のシンボル期間の異なるセットにマッピングされる、
［Ｃ５］に記載の方法。
［Ｃ１０］
前記ＣＲＳなしに前記第２のサブフレームのシンボル期間に前記ＰＢＣＨの一部分を備える第３の繰り返しをマッピングすることをさらに備え、サブキャリアのサブセットは、前記第２のサブフレームの前記シンボル期間中に前記ＰＢＣＨを除外する、
［Ｃ９］に記載の方法。
［Ｃ１１］
サブキャリアインデックス、スロットインデックス、セル識別情報、またはシンボルインデックスに少なくとも部分的に基づく位相だけ前記ＰＢＣＨの各繰り返し部分を回転させることをさらに備える、
［Ｃ９］に記載の方法。
［Ｃ１２］
ワイヤレス通信の方法であって、
サブフレーム中のＰＢＣＨを受信すること、ここにおいて、前記サブフレームの少なくとも１つのシンボル期間は、セル固有基準信号（ＣＲＳ）と前記ＰＢＣＨの一部分の繰り返しとを備える、と、
前記ＰＢＣＨを復号することと
を備える、方法。
［Ｃ１３］
前記ＰＢＣＨを復号することは、
前記ＰＢＣＨをブラインド検出することを備える、
［Ｃ１２］に記載の方法。
［Ｃ１４］
前記ＰＢＣＨをブラインド検出することは、
前記ＰＢＣＨの前記一部分の繰り返しパターンを決定することと、
前記ＰＢＣＨの前記一部分の前記繰り返しパターンに少なくとも部分的に基づいて前記サブフレーム中の前記ＰＢＣＨをモニタすることと
を備える、［Ｃ１３］に記載の方法。
［Ｃ１５］
前記繰り返しパターンに少なくとも部分的に基づいて前記サブフレーム中の前記ＰＢＣＨをモニタすることは、
前記繰り返しパターンに少なくとも部分的に基づいて前記ＰＢＣＨのための前記サブフレーム中の候補ロケーションのセットを識別することを備える、
［Ｃ１４］に記載の方法。
［Ｃ１６］
セル識別情報、サブキャリアインデックス、スロットインデックス、またはシンボルインデックスに少なくとも部分的に基づく位相だけ前記ＰＢＣＨの前記一部分の前記繰り返しを備えるシンボルを逆回転させること
をさらに備える、［Ｃ１２］に記載の方法。
［Ｃ１７］
前記サブフレーム中の前記ＰＢＣＨを受信することは、前記サブフレーム中の前記ＰＢＣＨの前記一部分の前記繰り返しを受信することを備える、
［Ｃ１２］に記載の方法。
［Ｃ１８］
前記ＰＢＣＨの前記一部分の前記繰り返しを少なくとも使用して周波数を推定することをさらに備える、
［Ｃ１７］に記載の方法。
［Ｃ１９］
前記周波数の推定は、前記ＣＲＳに少なくとも部分的に基づく、
［Ｃ１８］に記載の方法。
［Ｃ２０］
前記ＰＢＣＨのために利用可能なシンボル中の信号を識別することと、
前記識別された信号に少なくとも部分的に基づいて前記ＰＢＣＨのために利用可能な前記シンボルが前記ＰＢＣＨの前記一部分の前記繰り返しを備えると決定することと
をさらに備える、［Ｃ１７］に記載の方法。
［Ｃ２１］
ワイヤレス通信のための装置であって、
フレームの第１のサブフレーム中の物理ブロードキャストチャネル（ＰＢＣＨ）を識別するための手段と、
前記第１のサブフレームのセル固有基準信号（ＣＲＳ）パターンを識別するための手段と、
前記第１のサブフレームのシンボル期間に前記ＰＢＣＨの一部分の第１の繰り返しをマッピングするための手段、前記第１のサブフレームの前記シンボル期間は、ＣＲＳを備える、と、
前記第１のサブフレームを送信するための手段と
を備える、装置。
［Ｃ２２］
前記ＰＢＣＨの部分と前記ＣＲＳとを備えるシンボルの第１のセットを識別するための手段と、
前記ＣＲＳなしに前記ＰＢＣＨの一部分を備えるシンボルの第２のセットを識別するための手段と
をさらに備える、［Ｃ２１］に記載の装置。
［Ｃ２３］
ＰＢＣＨの繰り返しのために利用可能である前記第１のサブフレームの第１のシンボル期間を識別するための手段、前記第１のシンボル期間は、前記ＣＲＳを備える、と、
前記第１のシンボル期間中にシンボルの前記第１のセットのうちの少なくとも１つのシンボルを繰り返すための手段と
をさらに備える、［Ｃ２２］に記載の装置。
［Ｃ２４］
ＰＢＣＨの繰り返しのために利用可能である第２のシンボル期間を識別するための手段、前記第２のシンボル期間は、前記ＣＲＳを除外する、と、
前記第２のシンボル期間中にシンボルの前記第２のセットのうちの少なくとも１つのシンボルを繰り返すための手段と
をさらに備える、［Ｃ２３］に記載の装置。
［Ｃ２５］
前記フレームの第２のサブフレームのＣＲＳパターンを識別するための手段と、
前記フレームの前記第２のサブフレームに前記ＰＢＣＨの各部分をマッピングするための手段と、
前記第２のサブフレームのシンボル期間に前記ＰＢＣＨの前記一部分の第２の繰り返しをマッピングするための手段、前記第２のサブフレームの前記シンボル期間は、前記ＣＲＳを備える、と、
前記第２のサブフレームを送信するための手段と
をさらに備える、［Ｃ２１］に記載の装置。
［Ｃ２６］
前記第１のサブフレームと前記第２のサブフレームとの前記ＣＲＳパターンはそれぞれ、同じＣＲＳパターンを備え、前記ＰＢＣＨの前記一部分は、前記第１のサブフレームと前記第２のサブフレームとの中のシンボル期間の対応するセットにマッピングされる、
［Ｃ２５］に記載の装置。
［Ｃ２７］
前記ＣＲＳなしに前記第２のサブフレームのシンボル期間に前記ＰＢＣＨの第２の部分の第３の繰り返しをマッピングするための手段をさらに備え、サブキャリアのサブセットは、前記第２のサブフレームの前記シンボル期間中に前記ＰＢＣＨを除外する、
［Ｃ２６］に記載の装置。
［Ｃ２８］
前記第１のサブフレームと前記第２のサブフレームとはそれぞれ、同じＣＲＳパターンを備え、前記ＰＢＣＨの各部分は、前記第１のサブフレームと前記第２のサブフレームとにわたって等しい回数繰り返される、
［Ｃ２５］に記載の装置。
［Ｃ２９］
前記第１のサブフレームと前記第２のサブフレームとの前記ＣＲＳパターンはそれぞれ、同じＣＲＳパターンを備え、前記ＰＢＣＨは、前記第１のサブフレームと前記第２のサブフレームとの各々の中のシンボル期間の異なるセットにマッピングされる、
［Ｃ２５］に記載の装置。
［Ｃ３０］
前記ＣＲＳなしに前記第２のサブフレームのシンボル期間に前記ＰＢＣＨの一部分を備える第３の繰り返しをマッピングするための手段をさらに備え、サブキャリアのサブセットは、前記第２のサブフレームの前記シンボル期間中に前記ＰＢＣＨを除外する、
［Ｃ２９］に記載の装置。
［Ｃ３１］
サブキャリアインデックス、スロットインデックス、セル識別情報、またはシンボルインデックスに少なくとも部分的に基づく位相だけ前記ＰＢＣＨの各繰り返し部分を回転させるための手段をさらに備える、
［Ｃ２９］に記載の装置。
［Ｃ３２］
ワイヤレス通信のための装置であって、
サブフレーム中のＰＢＣＨを受信するための手段、ここにおいて、前記サブフレームの少なくとも１つのシンボル期間は、セル固有基準信号（ＣＲＳ）と前記ＰＢＣＨの一部分の繰り返しとを備える、と、
前記ＰＢＣＨを復号するための手段と
を備える、装置。
［Ｃ３３］
前記ＰＢＣＨをブラインド検出するための手段をさらに備える、
［Ｃ３２］に記載の装置。
［Ｃ３４］
前記ＰＢＣＨの前記一部分の繰り返しパターンを決定するための手段と、
前記ＰＢＣＨの前記一部分の前記繰り返しパターンに少なくとも部分的に基づいて前記サブフレーム中の前記ＰＢＣＨをモニタするための手段と
をさらに備える、［Ｃ３３］に記載の装置。
［Ｃ３５］
前記繰り返しパターンに少なくとも部分的に基づいて前記ＰＢＣＨのための前記サブフレーム中の候補ロケーションのセットを識別するための手段をさらに備える、
［Ｃ３４］に記載の装置。
［Ｃ３６］
セル識別情報、サブキャリアインデックス、スロットインデックス、またはシンボルインデックスに少なくとも部分的に基づく位相だけ前記ＰＢＣＨの繰り返し部分を備えるシンボルを逆回転させるための手段
をさらに備える、［Ｃ３２］に記載の装置。
［Ｃ３７］
前記サブフレーム中の前記ＰＢＣＨを受信するための手段は、前記サブフレーム中の前記ＰＢＣＨの前記一部分の前記繰り返しを受信することを備えること
をさらに備える、［Ｃ３２］に記載の装置。
［Ｃ３８］
前記ＰＢＣＨの前記繰り返し部分を少なくとも使用して周波数を推定するための手段をさらに備える、
［Ｃ３７］に記載の装置。
［Ｃ３９］
ＰＢＣＨのために利用可能なシンボル中の信号を識別するための手段と、
前記識別された信号に少なくとも部分的に基づいてＰＢＣＨのために利用可能な前記シンボルが前記ＰＢＣＨの前記一部分の前記繰り返しを備えると決定するための手段と
をさらに備える、［Ｃ３７］に記載の装置。
［Ｃ４０］
ワイヤレス通信のための装置であって、
プロセッサと、
前記プロセッサと電子通信しているメモリと、
前記メモリに記憶され、前記プロセッサによって実行されたとき、前記装置に、
フレームの第１のサブフレーム中の物理ブロードキャストチャネル（ＰＢＣＨ）を識別することと、
前記第１のサブフレームのセル固有基準信号（ＣＲＳ）パターンを識別することと、
前記第１のサブフレームのシンボル期間に前記ＰＢＣＨの一部分の第１の繰り返しをマッピングすることと、前記シンボル期間がＣＲＳを備える、
前記第１のサブフレームを送信することと
を行わせるように動作可能な命令と
を備える、装置。
［Ｃ４１］
前記命令は、前記装置に、
前記ＰＢＣＨの部分と前記ＣＲＳとを備えるシンボルの第１のセットを識別することと、
前記ＣＲＳなしに前記ＰＢＣＨの一部分を備えるシンボルの第２のセットを識別することと
を行わせるように動作可能である、［Ｃ４０］に記載の装置。
［Ｃ４２］
前記命令は、前記装置に、
ＰＢＣＨの繰り返しのために利用可能である前記第１のサブフレームの第１のシンボル期間を識別することと、前記第１のシンボル期間が前記ＣＲＳを備える、
前記第１のシンボル期間中にシンボルの前記第１のセットのうちの少なくとも１つのシンボルを繰り返すことと
を行わせるように動作可能である、［Ｃ４１］に記載の装置。
［Ｃ４３］
前記命令は、前記装置に、
ＰＢＣＨの繰り返しのために利用可能である第２のシンボル期間を識別すること、前記第２のシンボル期間は、前記ＣＲＳを除外する、と、
前記第２のシンボル期間中にシンボルの前記第２のセットのうちの少なくとも１つのシンボルを繰り返すことと
を行わせるように動作可能である、［Ｃ４２］に記載の装置。
［Ｃ４４］
前記命令が、前記装置に、
前記フレームの第２のサブフレームのＣＲＳパターンを識別することと、
前記フレームの前記第２のサブフレームに前記ＰＢＣＨの各部分をマッピングすることと、
前記第２のサブフレームのシンボル期間に前記ＰＢＣＨの前記一部分の第２の繰り返しをマッピングすること、前記第２のサブフレームの前記シンボル期間は、前記ＣＲＳを備える、と、
前記第２のサブフレームを送信することと
を行わせるように動作可能である、［Ｃ４０］に記載の装置。
［Ｃ４５］
前記第１のサブフレームと前記第２のサブフレームとの前記ＣＲＳパターンはそれぞれ、同じＣＲＳパターンを備え、前記ＰＢＣＨの前記一部分は、前記第１のサブフレームと前記第２のサブフレームとの中のシンボル期間の対応するセットにマッピングされる、
［Ｃ４４］に記載の装置。
［Ｃ４６］
前記命令は、前記装置に、
前記ＣＲＳなしに前記第２のサブフレームのシンボル期間に前記ＰＢＣＨの第２の部分の第３の繰り返しをマッピングすることを行わせるように動作可能であり、サブキャリアのサブセットは、前記第２のサブフレームの前記シンボル期間中に前記ＰＢＣＨを除外する、
［Ｃ４５］に記載の装置。
［Ｃ４７］
前記第１のサブフレームと前記第２のサブフレームとはそれぞれ、同じＣＲＳパターンを備え、前記ＰＢＣＨの各部分は、前記第１のサブフレームと前記第２のサブフレームとにわたって等しい回数繰り返される、
［Ｃ４４］に記載の装置。
［Ｃ４８］
前記第１のサブフレームと前記第２のサブフレームとの前記ＣＲＳパターンはそれぞれ、同じＣＲＳパターンを備え、前記ＰＢＣＨは、前記第１のサブフレームと前記第２のサブフレームとの各々の中のシンボル期間の異なるセットにマッピングされる、
［Ｃ４４］に記載の装置。
［Ｃ４９］
前記命令は、前記装置に、
前記ＣＲＳなしに前記第２のサブフレームのシンボル期間に前記ＰＢＣＨの一部分を備える第３の繰り返しをマッピングすることを行わせるように動作可能であり、サブキャリアのサブセットは、前記第２のサブフレームの前記シンボル期間中に前記ＰＢＣＨを除外する、
［Ｃ４８］に記載の装置。
［Ｃ５０］
前記命令は、前記装置に、
サブキャリアインデックス、スロットインデックス、セル識別情報、またはシンボルインデックスに少なくとも部分的に基づく位相だけ前記ＰＢＣＨの各繰り返し部分を回転させること
を行わせるように動作可能である、［Ｃ４８］に記載の装置。
［Ｃ５１］
ワイヤレス通信のための装置であって、
プロセッサと、
前記プロセッサと電子通信しているメモリと、
前記メモリに記憶され、前記プロセッサによって実行されたとき、前記装置に、
サブフレーム中のＰＢＣＨを受信することと、ここにおいて、前記サブフレームの少なくとも１つのシンボル期間が、セル固有基準信号（ＣＲＳ）と前記ＰＢＣＨの一部分の繰り返しとを備える、
前記ＰＢＣＨを復号することと
を行わせるように動作可能な命令と
を備える、装置。
［Ｃ５２］
前記命令は、前記装置に、
前記ＰＢＣＨをブラインド検出することを行わせるように動作可能である、
［Ｃ５１］に記載の装置。
［Ｃ５３］
前記命令は、前記装置に、
前記ＰＢＣＨの前記一部分の繰り返しパターンを決定することと、
前記ＰＢＣＨの前記一部分の前記繰り返しパターンに少なくとも部分的に基づいて前記サブフレーム中の前記ＰＢＣＨをモニタすることと
を行わせるように動作可能である、［Ｃ５２］に記載の装置。
［Ｃ５４］
前記命令は、前記装置に、
前記繰り返しパターンに少なくとも部分的に基づいて前記ＰＢＣＨのための前記サブフレーム中の候補ロケーションのセットを識別することを行わせるように動作可能である、
［Ｃ５３］に記載の装置。
［Ｃ５５］
前記命令は、前記装置に、
セル識別情報、サブキャリアインデックス、スロットインデックス、またはシンボルインデックスに少なくとも部分的に基づく位相だけ前記ＰＢＣＨの繰り返し部分を備えるシンボルを逆回転させることを行わせるように動作可能である、
［Ｃ５１］に記載の装置。
［Ｃ５６］
前記命令は、前記装置に、
前記サブフレーム中の前記ＰＢＣＨが、前記サブフレーム中の前記ＰＢＣＨの前記一部分の前記繰り返しを受信することを備えることを受信することを行わせるように動作可能である、
［Ｃ５１］に記載の装置。
［Ｃ５７］
前記命令は、前記装置に、
前記ＰＢＣＨの前記繰り返し部分を少なくとも使用して周波数を推定することを行わせるように動作可能である、
［Ｃ５６］に記載の装置。
［Ｃ５８］
前記命令は、前記装置に、
ＰＢＣＨのために利用可能なシンボル中の信号を識別することと、
前記識別された信号に少なくとも部分的に基づいてＰＢＣＨのために利用可能な前記シンボルが前記ＰＢＣＨの前記一部分の前記繰り返しを備えると決定することと
を行わせるように動作可能である、［Ｃ５６］に記載の装置。
［Ｃ５９］
ワイヤレス通信のためのコードを記憶する非一時的コンピュータ可読媒体であって、前記コードは、
フレームの第１のサブフレーム中の物理ブロードキャストチャネル（ＰＢＣＨ）を識別することと、
前記第１のサブフレームのセル固有基準信号（ＣＲＳ）パターンを識別することと、
前記第１のサブフレームのシンボル期間に前記ＰＢＣＨの一部分の第１の繰り返しをマッピングすること、前記シンボル期間は、ＣＲＳを備える、と、
前記第１のサブフレームを送信することと
を行うように実行可能な命令を備える、非一時的コンピュータ可読媒体。
［Ｃ６０］
ワイヤレス通信のためのコードを記憶する非一時的コンピュータ可読媒体であって、前記コードは、
サブフレーム中のＰＢＣＨを受信すること、ここにおいて、前記サブフレームの少なくとも１つのシンボル期間は、セル固有基準信号（ＣＲＳ）と前記ＰＢＣＨの一部分の繰り返しとを備える、と、
前記ＰＢＣＨを復号することと
を行うように実行可能な命令を備える、非一時的コンピュータ可読媒体。